(57)【要約】【課題】本発明は両眼視で使用される光学装置に関し、各使用者の眼幅に合わせて眼幅調整器を調整しても、被両眼視部を見るときに違和感を生じないことを目的とする。【解決手段】この目的を達成するために本発明は、互いの光軸が交差するように水平方向に配置した第一、第二の光学手段と、前記第一、第二の光学手段の光軸の交差角を眼幅調整器２４、４４の眼幅調整に連動して変化させる第一の輻輳角調整手段と、対物レンズを接眼レンズ２２、４２と被両眼視部との間で可動させる可動手段と、前記対物レンズ２１、４１の可動方向を前記第一、第二の光学手段の光軸の交差角に連動して変化させる第二の輻輳角調整手段と、前記対物レンズ２１、４１の光軸を前記第一、第二の光学手段の光軸に常に平行にさせる光軸方向維持手段とを備える。【選択図】図２
2010145690.tif 000002
【特許請求の範囲】
【請求項１】
一端を被両眼視部に向け、互いの光軸が交差するように水平方向に配置した第一、第二の光学手段と、
前記第一、第二の光学手段の他端に設けた使用者の眼幅に調整できる眼幅調整器と、
前記第一、第二の光学手段の光軸の交差角を前記眼幅調整器の眼幅調整に連動して変化させる第一の輻輳角調整手段と、
前記第一,第二の光学手段の眼幅調整器側に設けた接眼レンズと、前記被両眼視部側に設けた対物レンズと、
前記対物レンズを前記接眼レンズと前記被両眼視部との間で可動させる可動手段と、
前記対物レンズの可動方向を前記第一、第二の光学手段の光軸の交差角に連動して変化させる第二の輻輳角調整手段と、
前記対物レンズの光軸を前記第一、第二の光学手段の光軸に常に平行にさせる光軸方向維持手段と、を備える光学装置。
【請求項２】
前記第一の輻輳角調整手段は、前記被両眼視部の位置に回動支点を有し、前記第一、第二の光学手段の光軸が前記被両眼視部で交差する請求項１に記載の光学装置。
【請求項３】
前記第二の輻輳角調整手段は、前記対物レンズを前記第一、第二の光学手段の光軸と所定の角度をなして移動させる請求項１または請求項２に記載の光学装置。
【請求項４】
前記第二の輻輳角調整手段は、前記被両眼視部に向けて水平方向外側に広がる方向に前記対物レンズを移動させる請求項３に記載の光学装置。
【請求項５】
前記第二の輻輳角調整手段は、前記対物レンズの移動方向を水平方向に回動させる請求項１から請求項４のいずれか一つに記載の光学装置。
【請求項６】
前記第二の輻輳角調整手段は、前記第一、第二の光学手段の光軸の交差角が大きくなるに従って、第一、第二の光学手段の光軸と前記対物レンズの可動方向とのなす角度が大きくなる請求項１から請求項５のいずれか一つに記載の光学装置。
【請求項７】
前記光軸方向維持手段は、前記対物レンズあるいは前記対物レンズを保持する保持器を、前記第二の輻輳角調整手段に対して回動および摺動自在に組合わせ、前記対物レンズの光軸を前記第一、第二の光学手段の光軸と平行に維持する請求項１から請求項６のいずれか一つに記載の光学装置。
【請求項８】
前記眼幅調整器は、眼幅調整した位置を検知するセンサーを備える請求項１から請求項７のいずれか一つに記載の光学装置。
【請求項９】
前記第一の輻輳角調整手段は、前記センサーの信号に応じて前記第一、第二の光学手段の光軸の交差角を変化させるアクチュエータを備える請求項８に記載の光学装置。
【請求項１０】
前記第二の輻輳角調整手段は、前記センサーの信号に応じて前記対物レンズの移動方向を水平方向に回動させるアクチュエータを備える請求項８または９に記載の光学装置。
【請求項１１】
前記光軸方向維持手段は、前記センサーの信号に応じて前記対物レンズの光軸を前記第一、第二の光学手段の光軸と平行にするように、前記対物レンズあるいは前記対物レンズを保持する保持器を回動するアクチュエータを備える請求項８から請求項１０のいずれか一つに記載の光学装置。
【請求項１２】
前記被両眼視部は、画像の表示手段である請求項１から請求項１１のいずれか一つに記載の光学装置。
【発明の詳細な説明】
【技術分野】
【０００１】
本発明は、両眼視で使用される光学装置に関するものである。
【背景技術】
【０００２】
従来の実体顕微鏡や視力回復訓練装置など両眼視で使用される光学装置は、以下のような構成となっていた。
【０００３】
すなわち、被両眼視部側に設けられた対物レンズと、この対物レンズから使用者側に接眼レンズ、および眼幅調整器を有する一対の光学系を備え、使用者の両眼で被両眼視部を見易くするために左右の光学系に一定の輻輳角を付与している。（例えば、特許文献１）
【特許文献１】特開平７−１０４１８９号公報
【発明の開示】
【発明が解決しようとする課題】
【０００４】
上記従来の両眼視で使用される光学装置における課題は使用者によって眼幅が異なるため被両眼視部を見るときに違和感を生じてしまうということであった。
【０００５】
すなわち、従来例においては、上述の左右の光学系の各々の光軸の交差角は所定の値に固定されているため、基準となる輻輳角も１つの角度となっていた。そして、対物レンズの可動方向と、この可動方向と光軸の成す角度も所定の値に固定されているため、遠近点における輻輳角変化量も所定の量であった。
【０００６】
また眼幅調整器は、輻輳角とは関連することなく独立して使用者が接眼部を各々の眼幅に合わせて調整されていた。
【０００７】
したがって、所定の遠点および近点にある被両眼視部を見る場合、図１０に示すように使用者の眼幅によって輻輳角が変化してしまうのであった。
【０００８】
ここで、図１０（ａ），１０（ｂ）は、眼幅の異なる使用者の輻輳角を示したものである。図１０（ａ）は、小さな眼幅Ａ１の使用者が遠点Ｓ１と近点Ｓ２にある被両眼視部を見る場合、各々の輻輳角がα１、β１となることを示している。図１０（ｂ）は、大きな眼幅Ａ２の使用者が、同様に遠点Ｓ１と近点Ｓ２にある被両眼視部を見る場合、各々の輻輳角はα２、β２となることを示している。
【０００９】
そして、眼幅Ａ１の使用者と眼幅Ａ２の使用者が遠点Ｓ１と近点Ｓ２の被両眼視部を見る場合の各々の輻輳角は異なるものとなる。
【００１０】
したがって、例えば遠近点の輻輳角を、眼幅Ａ１を基準として光学装置を設計した場合、眼幅Ａ２の使用者には輻輳角が合わないため、被両眼視部を見るときに違和感を生じてしまうのであった。
【００１１】
さらに、大きな眼幅Ａ２の使用者は小さな眼幅Ａ１の使用者と比べて遠点と近点の間の輻輳角変化量（β２−α２）が大きくなる。このように遠近点の輻輳角が所定の値に固定された光学装置では、輻輳角変化量も所定の量であり、大きな眼幅Ａ２の使用者は、近点から遠点に移動する被両眼視部の輻輳角変化に違和感を生じたり、眼幅調整をしたにもかかわらず左右両眼の像が一つに結像しないため、被両眼視部を見るときに違和感を生じてしまうのであった。
【００１２】
そこで本発明は、使用者によって眼幅が異なり、各々の眼幅に合わせて眼幅調整器を調整しても、被両眼視部を見るときに違和感を生じない光学装置を提供することを目的とする。
【課題を解決するための手段】
【００１３】
そしてこの目的を達成する為に本発明は、一端を被両眼視部に向け、互いの光軸が交差するように水平方向に配置した第一、第二の光学手段と、前記第一、第二の光学手段の他端に、使用者の眼幅に調整できる眼幅調整器と、前記第一、第二の光学手段の光軸の交差角を前記眼幅調整器の眼幅調整に連動して変化させる第一の輻輳角調整手段と、前記第一,第二の光学手段の眼幅調整器側に設けた接眼レンズと、前記被両眼視部側に設けた対物レンズと、前記対物レンズを前記接眼レンズと前記被両眼視部との間で可動させる可動手段と、前記対物レンズの可動方向を前記第一、第二の光学手段の光軸の交差角に連動して変化させる第二の輻輳角調整手段と、前記対物レンズの光軸を前記第一、第二の光学手段の光軸に常に平行にさせる光軸方向維持手段と、を備え、これにより所期の目的を達成するものである。
【発明の効果】
【００１４】
本発明は、一端を被両眼視部に向け、互いの光軸が交差するように水平方向に配置した第一、第二の光学手段と、前記第一、第二の光学手段の他端に、使用者の眼幅に調整できる眼幅調整器と、前記第一、第二の光学手段の光軸の交差角を前記眼幅調整器の眼幅調整に連動して変化させる第一の輻輳角調整手段と、前記第一,第二の光学手段の眼幅調整器側に設けた接眼レンズと、前記被両眼視部側に設けた対物レンズと、前記対物レンズを前記接眼レンズと前記被両眼視部との間で可動させる可動手段と、前記対物レンズの可動方向を前記第一、第二の光学手段の光軸の交差角に連動して変化させる第二の輻輳角調整手段と、前記対物レンズの光軸を前記第一、第二の光学手段の光軸に常に平行にさせる光軸方向維持手段と、を備える光学装置としたので、被両眼視部を見るときに違和感を生じなくできる。
【００１５】
すなわち、本発明においては、最適な輻輳角に調整される第一の輻輳角調整手段と、最適な輻輳角変化量に調整される第二の輻輳角調整手段を有しているので、使用者が各々の眼幅に合わせて眼幅調整器を調整する場合に、使用者ごとに日常と同様の最適な輻輳角で被両眼視部を見ることができる。
【００１６】
つまり、使用者によって眼幅が異なり、各々の眼幅に合わせて眼幅調整器を調整しても、被両眼視部を見るときに違和感を生じなくできるのである。
【発明を実施するための最良の形態】
【００１７】
以下、本発明の一実施の形態について、図面を用いて説明する。
【００１８】
（実施の形態）
図１において、１は両眼視で観察や訓練を行う為の光学装置（例えば実体顕微鏡や視力回復訓練装置など）の筐体であり、使用者の左右眼の間隔（以下、眼幅という）に合わせて接眼部２６，４６を調整する眼幅調整器２４，４４を備えている。
【００１９】
眼幅調整器２４，４４は、スライド板１５，１６に回動自在に嵌合し、このスライド板１５，１６は筐体１の溝部１ｂ，１ｃに案内されて左右に摺動可能となっている。
【００２０】
図２は筐体１の内部を示したものであり、ここでは視力回復訓練装置を例に説明する。
【００２１】
図２において、筐体１の内部奥側に固定した液晶やＣＲＴ，有機ＥＬなどの表示装置２に被両眼視部である被写体２ａが表示され、この被写体２ａの中心で下方となる筐体１底面に植設された軸９に第一のバー２０と第二のバー４０の一端が軸９の軸心を回転中心として回動自在に嵌合して取り付けられている。
【００２２】
そして、第一、第二のバー２０，４０の他端には各々接眼レンズ２２，４２と偏向プリズム２３，４３が、その光軸を被写体２ａ中心で交差するように向けて固定され、第一の光軸６０と第二の光軸７０を形成している。
【００２３】
また、偏向プリズム２３，４３から使用者に至る光軸は、前記第一、第二の光軸６０，７０が眼幅調整器２４，４４に入り、反射板保持器２５，４５の内部の第一の反射板２５ａ，４５ａで反射され、さらに第一の反射板２５ａ，４５ａと平行に向かい合って保持された第二の反射板２５ｂ，４５ｂで反射されて左右眼の光軸６１，７１となり、接眼部２６，４６を通って使用者に至る。このため、左右眼の光軸６１，７１と第一、第二の光軸６０，７０は、それぞれ平行関係を有し、最大で両光軸の段差の2倍の長さの眼幅調整量を得ることができるようになっている。
【００２４】
一方、第一、第二のバー２０，４０上には、対物レンズ２１，４１を近点から遠点に移動させるとともに第一、第二の光軸６０，７０の内側から外側に向けて水平に移動できるように、被写体２ａに向けて水平方向外側に広がる各々２本の案内軸２９，３０，４９，５０を植設したレンズ摺動台２７，４７を備える。
【００２５】
このレンズ摺動台２７，４７上には、対物レンズ２１，４１を回動自在に保持し、案内軸２９，３０，４９，５０に案内されて移動するレンズ保持器３１，５１を有している。
【００２６】
回動自在に保持する方法は、例えば本実施形態では、対物レンズ２１，４１のレンズ面以外の側面が凸形状である球状に形成され、レンズ保持器３１，５１の保持面がその面に沿った同心の凹形状である球状で形成され、両者が組み合わされているものである。このように両者を形成し、組合わせることで対物レンズ２１，４１はレンズ保持器３１，５１の中で回動自在であり、またレンズ保持器３１、５１が摺動するときには、両者が分離することなく共に摺動することが可能となっている。
【００２７】
ここで、各部材のつながりを、図３を用いて説明する。図3は、視力回復訓練装置の各部材の嵌合関係を示す分解斜視図である。
【００２８】
図３において前記レンズ摺動台２７，４７は、第一、第二のバー２０，４０に植設されたピン３２，５２に、その軸心を回転中心として回動自在に嵌合している。
【００２９】
そして、第一、第二のバー２０，４０の交差角度が大きくなるにともなって、レンズ摺動台２７，４７が内方に押込まれて、対物レンズ２１、４１の回動量を大きくするように、すなわち、ピン３２，５２から眼幅調整器２４，４４側に所定の距離だけ離れた位置で、レンズ摺動台２７，４７の側面を装置の内方に向けて押すように、カム１１，１２が筐体１に取り付けられ、レンズ摺動台２７，４７の側面とカム１１，１２は常に接するようにバネ１３，１４によって付勢されている。
【００３０】
また、第一、第二のバー２０，４０の前縁、すなわち眼幅調整器２４，４４側には、第一、第二のバー２０，４０の長手方向に向けてピン３８，５８が植設されており、スライド板１５，１６の長孔１５ａ，１６ａと摺動自在に嵌合している。ここで、長孔１５ａ，１６ａは鉛直上下方向に伸びる形状としている。
【００３１】
そして、スライド板１５，１６に、その摺動方向に直行した方向、すなわち光学装置の前後方向に向けて設けられた円環状の筒形状である管状部１５ｂ，１６ｂに眼幅調整器２４，４４の嵌合部２４ａ，４４ａが管状部１５ｂ，１６ｂの軸心を回転中心として回動自在に嵌合している。
【００３２】
ここで、第一、第二のバー２０，４０には孔２０ｂ，４０ｂが設けられ、この孔２０ｂ，４０ｂにバネ１０を係合させて、第一、第二のバー２０，４０を、その両者の交差角が小さくなる方向に付勢している。
【００３３】
したがって、ピン３８，５８と長孔１５ａ，１６ａとを介してスライド板１５，１６を、その摺動方向内側に付勢することとなり、これにより眼幅調整器２４，４４は、常時お互いの円弧状の側面が接した状態となるので、眼幅調整器２４，４４の両者を安定した状態で保持できる。
【００３４】
一方、第一のバー２０の下面には、図２に示す第一の光軸６０と平行をなす線上にピン３３，３４が鉛直方向下向きに植設接され、このピン３３、３４に第一の平行運動機構を形成している孔３６ａ，３７ａが回動自在に嵌合している。ここで第一の平行運動機構は、同じ長さの２本のバー３６，３７および、バー３５が、孔３６ａ，３７ａの他端側に形成された連結部３５ｂ，３５ｃに回動自在に嵌合などにより結合されて構成されるリンク機構である。連結部３５ｂ，３５ｃの間隔は、ピン３３，３４の間隔と同じ長さに設定されている。
【００３５】
同様に、第二のバー４０の下面には、図２に示す第二の光軸７０と平行をなす線上にピン５３，５４が鉛直方向下向きに植設され、このピン５３、５４に第二の平行運動機構を形成している孔５６ａ，５７ａが回動自在に嵌合している。ここで第二の平行運動機構は、同じ長さの２本のバー５６，５７および、バー５５が、孔５６ａ，５７ａの他端側に形成された連結部５５ｂ，５５ｃに回動自在に嵌合などにより結合されて構成されるリンク機構である。連結部５５ｂ，５５ｃの間隔は、ピン５３，５４の間隔と同じ長さに設定されている。
【００３６】
さらに、対物レンズ２１，４１に一体形成、植設、接着などにより直付けされた角ピン３９，５９は、対物レンズ２１，４１の移動時に、この角ピン３９，５９と接することの無いように第一、第二のバー２０，４０に形成された大きな貫通孔である抜き穴２０ａ，４０ａを貫通し、次に、第一、第二の平行運動機構の角孔３５ａ，５５ａも貫通し、最後に、作動バー５の長孔５ａ，５ｂと嵌合している。
【００３７】
図４は、この角ピン３９，５９周辺の構成を示した要部拡大図である。図４に示すように角ピン３９，５９は、矩形の断面を持つ根元部３９ａ，５９ａと、この根元部３９ａ，５９ａの鉛直下方向に所定の長さに形成された断面が円形である先端部３９ｂ、５９ｂから構成されている。この根元部３９ａ，５９ａが互いに向かい合う側面は平行であり、さらに対物レンズ２１，４１の光軸にも平行としている。
【００３８】
そして、上述した第一、第二の平行運動機構の角孔３５ａ，５５ａにおける長手方向の内壁面と、角ピン３９，５９の根元部３９ａ，５９ａの側面は、摺動可能に組合わされ、これにより、対物レンズ２１，４１の光軸は第一、第二の平行運動機構の角孔３５ａ，５５ａの内壁面と同一方向となっている。
【００３９】
即ち、この角孔３５ａ，５５ａの長手方向は、第一、第二の平行運動機構によって図２に示す第一、第二の光軸６０，７０に平行な関係を維持するので、レンズ摺動台２７，４７によって対物レンズ２１，４１が摺動される方向がいかなる方向を向いていても、対物レンズ２１，４１の各々の光軸は、第一、第二の光軸６０，７０と平行を保つことができ、よって光軸維持手段となっている。
【００４０】
さらに、作動バー５の長孔５ａ，５ｂと角ピン３９，５９の先端部３９ｂ，５９ｂは、摺動と回動とがともに可能な状態で嵌合している。これにより、作動バー５が制御器８で制御されたモータ７と減速器６から動力を受けて、光学装置の前後方向に駆動されるときに、長孔５ａ，５ｂと角ピン３９，５９を介して対物レンズ２１，４１を摺動させるので、上述した対物レンズ２１，４１の光軸の方向を所望の一定方向、すなわち本実施形態では第一、第二の光軸６０，７０と平行な方向に維持した状態で、対物レンズ２１，４１の摺動方向がいかなる方向であっても、所定の動力を付与し、摺動可能とすることができる。
【００４１】
次に上述の構成における眼幅調整にともなった最適な輻輳角の実現方法について、図５から図９を用いて説明する。
【００４２】
まず図５は、使用者側から見た光学機器の一部断面を含む正面方向の外観図である。図５に示すように使用者が眼幅に合わせて接眼部２６，４６を左右に広げる場合、右眼の眼幅調整器２４は、眼幅調整器２４の嵌合部２４ａと図３に示すスライド板１５の管状部１５ｂとの嵌合部の中心を回転中心（回動中心２４ｃ）として反時計回りに回転する。一方、左目の眼幅調整器４４は、眼幅調整器４４の嵌合部４４ａと図３に示すスライド板１６の管状部１６ｂとの嵌合部の中心を回転中心（回動中心４４ｃ）として時計回りに回転する。
【００４３】
また、左右の眼幅調整器２４，４４は上述のとおり、図３に示すバネ１０によって第一、第二のバー２０，４０を介して付勢され、互いにカム面２４ｄ，４４ｄで接している。このカム面２４ｄ，４４ｄは、上述した眼幅調整器２４，４４の回動中心２４ｃ，４４ｃから所定の量だけ偏芯した位置２４ｂ，４４ｂを中心とした所定の半径Ｒの円弧であり、接眼部２６，４６が左右に離れる方向に回動するにしたがって、回動中心２４ｃ，４４ｃからの距離が大きくなる箇所で接する。
【００４４】
したがって、接眼部２６，４６を離す方向に回動した場合、回動にともなって眼幅調整器２４，４４の回動中心２４ｃ，４４ｃが左右に離れ、この眼幅調整器２４，４４に嵌合されているスライド板１５，１６が筐体１の溝部１ｂ，１ｃに沿って左右に離れ、スライド板１５，１６の長孔１５ａ，１６ａと嵌合しているピン３８，５８を左右に離れるように押すことで、上述したように図２に示す第一、第二のバー２０，４０の交差角が大きくなる。
【００４５】
即ち、図２に示すように眼幅を合わすために眼幅調整器２４，４４を回動することで、被写体２ａと接眼部２６，４６までの全ての光軸（第一、第二の光軸６０，７０および左右眼の光軸６１，７１）の交差角を調整できる第一の輻輳角調整手段を構成している。
【００４６】
次に図６は、小さな眼幅Ａ１の使用者が、遠点の被写体を見ている状態を示した上方向からみた断面図である。
【００４７】
使用者の眼幅Ａ１に、接眼部２６，４６を合わせることで、第一、第二のバー２０，４０の交差角が調整され、被写体２ａからの中央光路６２，７２、すなわち対物レンズ２１、４１の中心を通る光路は対物レンズ２１，４１を通り、接眼レンズ２２，４２の外周寄りに入射後、偏向プリズム２３，４３によって内側に所定量曲げられて、眼幅Ａ１の遠点に相当する輻輳角α１で使用者の左右眼１７，１８に到達する。
【００４８】
対物レンズ２１，４１の中心は、第一、第二の光軸６０，７０より外周側に位置し、その光軸は第一、第二の光軸６０，７０と平行である。これは、上述したように第一、第二の平行運動機構によって対物レンズ２１，４１の向きが所望の一定方向に維持されることによって実現されている。
【００４９】
次に図７は、図６に示す状態に対して、小さな眼幅Ａ１の使用者が近点の被写体を見ている状態を示した上方向からみた断面図である。ここで第一、第二の光軸６０，７０と案内軸３０，５０は所定の角度をなしており、その角度は図６と図７の状態で同じである。
【００５０】
図６の状態と異なる点は、作動バー5が図７の左に移動する（すなわち使用者側に移動する）ことで対物レンズ２１，４１が案内軸３０，５０に沿って左方向および内側に移動しており、対物レンズ２１，４１の中心は、第一、第二の光軸６０，７０より内側となっている点である。
【００５１】
この場合も対物レンズ２１，４１の光軸が第一、第二の光軸６０，７０と平行であり、これは、上述したように第一、第二の平行運動機構によって対物レンズ２１，４１の向きが所望の一定方向に維持されることによって実現されている点は図６と同じである。
【００５２】
そして、図７に示す状態で、被写体２ａからの中央光路６２，７２は、対物レンズ２１，４１を通り、接眼レンズ２２，４２の内周寄りに入射後、偏向プリズム２３，４３によって内側に所定量曲げられて、眼幅Ａ１の近点に相当する輻輳角β１で使用者の左右眼１７，１８に到達する。
【００５３】
したがって接眼部２６，４６を眼幅Ａ１に合わせると、使用者は遠近点に相当する輻輳角α１、β１で被写体２ａを見ることができる。
【００５４】
次に図８は、大きな眼幅Ａ２の使用者が、遠点の被写体を見ている状態を示した上方向からみた断面図である。
【００５５】
図８に示すように使用者の眼幅Ａ２は図６、図７に示す眼幅Ａ１より大きいため、接眼部２６，４６を眼幅Ａ２に合わすように、眼幅調整器２４，４４を介してピン３８，５８を外側に向けて押し、第一、第二のバー２０，４０の交差角は図６に示す状態より大きくなる。こうして、第一の輻輳角調整手段が実施される。
【００５６】
また、大きな眼幅Ａ２の使用者は小さな眼幅Ａ１の使用者と比べて遠点と近点の間で変化する輻輳角変化量が大きくなる。この輻輳角変化量を調整する第二の輻輳角調整手段について、以下に説明する。
【００５７】
第二の輻輳角調整手段は、小さな眼幅Ａ１の輻輳角変化量（β１−α１）および大きな眼幅Ａ２の輻輳角変化量（β２−α２）の比と、カム１１，１２がレンズ摺動台２７，４７を押込む量の比が合致するようにカム１１，１２とレンズ摺動台２７，４７の当接点を設定したものである。これによって眼幅の大小に応じて輻輳角変化量を適正に調整することが可能となる。
【００５８】
具体的には、図８に示すように眼幅が大きくなって第一、第二のバー２０，４０の交差角が大きくなると、それに伴って外側に移動するレンズ摺動台２７，４７の側面が、カム１１，１２によって内側に押される。
【００５９】
上述したようにレンズ摺動台２７，４７はピン３２，５２の中心を回転中心として回動可能な状態としているので、この場合、レンズ摺動台２７は時計周りに、レンズ摺動台４７は反時計回りに所定量だけ回動する。そして、レンズ摺動台２７，４７に植設された案内軸３０，５０も同様に回動するので、案内軸３０，５０と第一、第二の光軸６０，７０とのなす角が大きくなる。この案内軸３０，５０と第一、第二の光軸６０，７０とのなす角は、カム１１，１２がレンズ摺動台２７，４７を押す量、すなわち第一、第二のバー２０，４０の交差角の大きさに比例して増減する、換言すると眼幅の大きさに比例して増減するのである。
【００６０】
本実施形態では、図６と図８に示すように、遠点における対物レンズ２１，４１の位置はピン３２，５２の近傍、すなわち対物レンズ２１，４１の回動中心に近いところに位置するので、遠点においては図６に示す小さな眼幅Ａ１と図８に示す大きな眼幅Ａ２とで第一、第二の光軸６０，７０から対物レンズ２１，４１までの距離の差は小さい。
【００６１】
一方、図９は、大きな眼幅Ａ２の使用者が近点の被写体を見ている状態を示した上方向から見た断面図である。図９において第一、第二の光軸６０，７０と案内軸３０，５０は所定の角度をなしており、その角度は大きな眼幅Ａ２の使用者が遠点の被写体を見ている状態を示す図８と同じである。
【００６２】
しかしながら図９に示す状態においては、対物レンズ２１，４１が案内軸３０，５０に沿って左方向、および内側に移動しており、図８の状態に比べ、対物レンズ２１，４１の中心は、第一、第二の光軸６０，７０より内側となっている。
【００６３】
また、この図９に示す状態を図７に示す小さな眼幅Ａ１の使用者が近点の被写体を見ている状態と比較すると、図７に示す小さな眼幅Ａ１の対物レンズ２１，４１の位置より、図９に示す大きな眼幅Ａ２の対物レンズ２１，４１の位置の方が、第一、第二の光軸６０，７０に対して、水平方向内側に、さらに離れたところに位置することとなっている。
【００６４】
すなわち、近点においては図７に示す小さな眼幅Ａ１より図９に示す大きな眼幅Ａ２の方が、第一、第二の光軸６０，７０から離れた位置に対物レンズ２１，４１を移動でき、中央光路６２，７２をより大きく内側に傾けることができるため、より大きい輻輳角を得ることができるのである。
【００６５】
以上のように、遠点側では眼幅による対物レンズ２１，４１の位置はほぼ変わらないため第一の輻輳角調整手段のみで使用者に対する最適な輻輳角をほぼ再現することができるが、近点側では対物レンズ２１，４１が近点側に移動するに従って、大きい眼幅Ａ２の方が輻輳角増加の度合いが大きくなる。
【００６６】
また、図８、図９に示した大きい眼幅Ａ２の遠近点の場合も、対物レンズ２１，４１の光軸は第一、第二の光軸６０，７０と平行に維持されている。これは、上述したように第一、第二の平行運動機構によって対物レンズ２１，４１の向きが所望の一定方向に維持されることによって実現されているためであり、図６、図７に示す小さな眼幅Ａ１の遠近点の場合と同様である。
【００６７】
なお、対物レンズ２１，４１がレンズ保持器３１，５１の中で回動自在であり、レンズ保持器３１，５１の向きが案内軸３０，５０と同一方向であっても、対物レンズ２１，４１がレンズ保持器３１，５１の中で回動し、その光軸は第一、第二の光軸６０，７０との平行を維持することも上述のとおりである。
【００６８】
そして、大きい眼幅Ａ２の場合の遠近点の光路は、大きな眼幅Ａ２の使用者が遠点の被写体を見ている状態を示す図８では、被写体２ａからの中央光路６２，７２は、対物レンズ２１，４１中心を通り、接眼レンズ２２，４２の外周寄りに入射後、偏向プリズム２３，４３によって内側に所定量曲げられて、眼幅Ａ２の遠点に相当する輻輳角β２で使用者の左右眼１７，１８に到達する。
【００６９】
一方、大きな眼幅Ａ２の使用者が近点の被写体を見ている状態を示す図９では、被写体２ａからの中央光路６２，７２は、対物レンズ２１，４１中心を通り、接眼レンズ２２，４２の内周寄りに入射後、偏向プリズム２３，４３によって内側に所定量曲げられて、眼幅Ａ２の近点に相当する輻輳角β２で使用者の左右眼１７，１８に到達する。
【００７０】
したがって接眼部２６，４６を眼幅Ａ２に合わせると、使用者は遠近点に相当する輻輳角α２、β２で被写体２ａを見ることができる。
【００７１】
以上のように本発明においては最適な輻輳角に調整される第一の輻輳角調整手段と、最適な輻輳角変化量に調整される第二の輻輳角調整手段を有しているので、使用者が各々の眼幅に合わせて眼幅調整器を調整する場合に、使用者ごとに日常と同様の最適な輻輳角で被写体（被両眼視部）を見ることができる。
【００７２】
つまり、使用者によって眼幅が異なり、各々の眼幅に合わせて眼幅調整器を調整しても、被写体（被両眼視部）を見るときに違和感を生じなくできるのである。
【００７３】
なお、本発明の実施形態では、眼幅調整器と第一の輻輳角調整手段と第二の輻輳角調整手段、および光軸維持手段が作動する方法について機構部材の構成で述べたが、これに限定されるものではない。
【００７４】
たとえば、電気的なセンサーやアクチュエータを使って構成することによって本実施形態と同様の効果を得ることが可能である。
【００７５】
具体的には、前記眼幅調整器２４，４４の調整位置を位置検出センサーで検知して電気信号に変換し、第一、第二のバー２０，４０を回動させるパルスモータなどのアクチュエータにその電気信号を伝達して、第一、第二のバー２０，４０を所定量だけ回動させることで第一の輻輳角調整手段が得られ、同様に、第一、第二のバー２０，４０上にレンズ摺動台２７，４７を回動させるアクチュエータを設け、眼幅調整器からの電気信号を伝達してレンズ摺動台２７，４７を所定量だけ回動することで第二の輻輳角調整手段が得られる。
【００７６】
さらに、レンズ摺動台２７，４７上に対物レンズ２１，４１を回動させるアクチュエータを設け、眼幅調整器からの電気信号を伝達して対物レンズ２１，４１の光軸を第一、第二の光軸に平行になるように回動させることで光軸方向維持手段が得られるものである。
【００７７】
また、本発明の実施形態では視力訓練装置を例にして、被写体が装置内に設けられた表示装置に表示されたものとして説明したが、これに限定されるものではない。
【００７８】
両眼で見るための光学系を有した実体顕微鏡や双眼鏡など、被写体が装置内に設けられた表示装置に表示されたものではなく、装置外部に実体がある対象物を被両眼視部（被写体）として見る場合においても、同様の効果を得ることができる。
【００７９】
また、本実施形態ではピン３２、３３、３４、３８、５２、５３、５４、５８を植設して固定したがこれに限定されるものではない。それぞれのピンに所望の強度、寸法精度などを確保できる手段であれば一体形成、接着など用いて固定しても良いことは言うまでもない。
【産業上の利用可能性】
【００８０】
本発明は、一端を被両眼視部に向け、互いの光軸が交差するように水平方向に配置した第一、第二の光学手段と、前記第一、第二の光学手段の他端に、使用者の眼幅に調整できる眼幅調整器と、前記第一、第二の光学手段の光軸の交差角を前記眼幅調整器の眼幅調整に連動して変化させる第一の輻輳角調整手段と、前記第一,第二の光学手段の眼幅調整器側に設けた接眼レンズと、前記被両眼視部側に設けた対物レンズと、前記対物レンズを前記接眼レンズと前記被両眼視部との間で可動させる可動手段と、前記対物レンズの可動方向を前記第一、第二の光学手段の光軸の交差角に連動して変化させる第二の輻輳角調整手段と、前記対物レンズの光軸を前記第一、第二の光学手段の光軸に常に平行にさせる光軸方向維持手段と、を備えることにより、被両眼視部を見るときに違和感を生じなくできる。
【００８１】
すなわち、本発明においては最適な輻輳角に調整される第一の輻輳角調整手段と、最適な輻輳角変化量に調整される第二の輻輳角調整手段を有しているので、使用者が各々の眼幅に合わせて眼幅調整器を調整する場合に、使用者ごとに日常と同様の最適な輻輳角で被両眼視部を見ることができる。
【００８２】
つまり、使用者によって眼幅が異なり、各々の眼幅に合わせて眼幅調整器を調整しても、被両眼視部を見るときに違和感を生じなくできるのである。
【００８３】
このため実体顕微鏡や双眼鏡および視力回復訓練装置など様々な光学機器へ活用でき、広く普及することが期待できる。
【図面の簡単な説明】
【００８４】
【図１】本発明の一実施形態の光学装置の外観斜視図
【図２】同光学装置内部を示す斜視図
【図３】同光学装置の嵌合を示す分解斜視図
【図４】同光学装置の要部を示す拡大図
【図５】同光学装置の要部を示す外観正面図
【図６】同光学装置の上部断面図
【図７】同光学装置の上部断面図
【図８】同光学装置の上部断面図
【図９】同光学装置の上部断面図
【図１０】眼幅と輻輳角の関係を示す図
【符号の説明】
【００８５】
１  筐体
２  表示部
２ａ  被写体（被両眼視部）
５  作動バー
９  軸
１１，１２  カム
１５，１６  スライド板
２０，４０  第一、第二のバー
２１，４１  対物レンズ
２２，４２  接眼レンズ
２３，４３  偏向プリズム
２６，４６  接眼部
２７，４７  レンズ摺動台
３１，５１  レンズ保持器
３２，５２  ピン
３５，５５  バー
３５ａ，５５ａ  角孔
３８，５８  ピン
３９，５９  角ピン
３９ａ，５９ａ  角ピン根元部
３９ｂ，５９ｂ  角ピン先端部
６０  第一の光軸
７０  第二の光軸
６１  右眼の光軸
７１  左眼の光軸
【図１】
2010145690.tif 000003
【図２】
2010145690.tif 000004
【図３】
2010145690.tif 000005
【図４】
2010145690.tif 000006
【図５】
2010145690.tif 000007
【図６】
2010145690.tif 000008
【図７】
2010145690.tif 000009
【図８】
2010145690.tif 000010
【図９】
2010145690.tif 000011
【図１０】
2010145690.tif 000012